(57)【要約】【課題】光ファイバ水素センサにおいて、水素感応体の温度依存性を補償することができ、しかも、トランスデューサ部を小型とすることができるようにする。【解決手段】光ファイバ水素センサＳは、センシング光を伝送するセンシング光用光ファイバ１と、センシング光用光ファイバ１からのセンシング光を受光して透過する水素感応体４１、及び水素感応体４１を透過したセンシング光を受光して反射する反射体４３を有するトランスデューサ部４と、トランスデューサ部４の反射体４３で反射して水素感応体４１を再び透過したセンシング光を信号光として受光して伝送する信号光用光ファイバ２と、水素感応体４１の感度の温度依存性を補償するための温度補償光を伝送する温度補償光用光ファイバ３と、を備える。温度補償光用光ファイバ３は、トランスデューサ部４の水素感応体４１に対して温度補償光を照射するように設けられている。【選択図】図１
2011085576.tif 000002
【特許請求の範囲】
【請求項１】
センシング光を伝送するセンシング光用光ファイバと、
前記センシング光用光ファイバからのセンシング光を受光するように設けられ、その受光したセンシング光を透過すると共に水素と反応すると特定の光学特性が変化する水素感応体、及び前記水素感応体を透過したセンシング光を受光するように設けられ、その受光したセンシング光を反射する反射体を有するトランスデューサ部と、
前記トランスデューサ部の前記反射体で反射して前記水素感応体を再び透過したセンシング光を信号光として受光するように設けられ、その受光した信号光を伝送する信号光用光ファイバと、
前記トランスデューサ部の前記水素感応体の感度の温度依存性を補償するための温度補償光を伝送する温度補償光用光ファイバと、
を備え、
前記温度補償光用光ファイバは、前記トランスデューサ部の前記水素感応体に対して温度補償光を照射するように設けられていることを特徴とする光ファイバ水素センサ。
【請求項２】
請求項１に記載の光ファイバ水素センサにおいて、
前記センシング光用光ファイバ、前記信号光用光ファイバ、及び前記温度補償光用光ファイバは、それらの前記トランスデューサ部側の部分がバンドルに構成されていることを特徴とする光ファイバ水素センサ。
【請求項３】
請求項１に記載の光ファイバ水素センサにおいて、
前記センシング光用光ファイバ、前記信号光用光ファイバ、及び前記温度補償光用光ファイバは、それらの前記トランスデューサ部側の部分が光ファイバ結合器を介して単一の混合光用光ファイバで構成されていることを特徴とする光ファイバ水素センサ。
【請求項４】
請求項１乃至３のいずれかに記載の光ファイバ水素センサにおいて、
前記トランスデューサ部の前記水素感応体は、前記センシング光用光ファイバの出射端との間に空間を介して設けられていることを特徴とする光ファイバ水素センサ。
【請求項５】
請求項１乃至４のいずれかに記載の光ファイバ水素センサにおいて、
前記トランスデューサ部は、前記水素感応体及び前記反射体が設けられた基体を有することを特徴とする光ファイバ水素センサ。
【請求項６】
請求項５に記載の光ファイバ水素センサにおいて、
前記トランスデューサ部は、前記基体のセンシング光受光側の一方の面に前記水素感応体が及び他方の面に前記反射体がそれぞれ設けられていることを特徴とする光ファイバ水素センサ。
【請求項７】
請求項５に記載の光ファイバ水素センサにおいて、
前記トランスデューサ部は、前記基体のセンシング光受光側の一方の面に前記反射体及び前記水素感応体が順に積層されて設けられていることを特徴とする光ファイバ水素センサ。
【請求項８】
請求項５に記載の光ファイバ水素センサにおいて、
前記トランスデューサ部は、前記基体のセンシング光受光側の一方の面に前記水素感応体が及び他方の面に別の前記水素感応体及び前記反射体が順に積層されてそれぞれ設けられていることを特徴とする光ファイバ水素センサ。
【請求項９】
センシング光を発するセンシング光用光源と、
前記センシング光用光源からのセンシング光を受光するように設けられ、その受光したセンシング光を伝送するセンシング光用光ファイバと、
前記センシング光用光ファイバからのセンシング光を受光するように設けられ、その受光したセンシング光を透過すると共に水素と反応すると特定の光学特性が変化する水素感応体、及び前記水素感応体を透過したセンシング光を受光するように設けられ、その受光したセンシング光を反射する反射体を有するトランスデューサ部と、
前記トランスデューサ部の前記反射体で反射して前記水素感応体を再び透過したセンシング光を信号光として受光するように設けられ、その受光した信号光を伝送する信号光用光ファイバと、
前記信号光用光ファイバからの信号光を受光するように設けられ、その受光した信号光を検出する信号光検出器と、
前記トランスデューサ部の前記水素感応体の感度の温度依存性を補償するための温度補償光を発する温度補償光用光源と、
前記温度補償光用光源からの温度補償光を受光するように設けられ、その受光した温度補償光を伝送する温度補償光用光ファイバと、
を備え、
前記温度補償光用光ファイバは、前記トランスデューサ部の前記水素感応体に対して温度補償光を照射するように設けられていることを特徴とする光ファイバ水素センサシステム。
【請求項１０】
請求項９に記載の光ファイバ水素センサシステムにおいて、
前記センシング光用光源は、前記水素感応体を透過すると共に、前記水素感応体の水素への感応を検知し、且つ前記反射体で反射する波長帯のセンシング光を発するように構成され、
前記温度補償光用光源は、前記水素感応体に吸収される波長帯の温度補償光を発するように構成されていることを特徴とする光ファイバ水素センサシステム。
【発明の詳細な説明】
【技術分野】
【０００１】
本発明は、光ファイバ水素センサ及びそれを備えた光ファイバ水素センサシステムに関する。
【背景技術】
【０００２】
光ファイバは、元来は光通信用の低損失光導波路として開発されたものであるが、電気的に無放電、無誘導、高絶縁、及び高耐圧であること、また、化学的に耐食性に優れていること、さらに、細径で且つ軽量であると共に可撓性にも優れること等、センサ用途に有利な特徴を有している。そのため、光ファイバを用いたセンシングが活発に研究され、多くの種類の光ファイバセンサが開発されて実用化されている。
【０００３】
光ファイバセンサを利用形態で分類すると、（１）受動型、（２）伝送路型、及び（３）機能型に大別することができる。（１）受動型は、従来の電気式センサの電線部分を光電変換器で光ファイバに置き換えたもの、或いは、被測定物体の放射する光を検出器まで導くもの等である。（２）伝送路型は、光ファイバの先端部又は中間部にトランスデューサを設けたものである。（３）機能型は、トランスデューサ部に光ファイバ自身の特性変化を利用したものである。
【０００４】
光ファイバセンサを被測定対象で分類すると、物理量センサ及び化学量センサに大別することができる。
【０００５】
光ファイバセンサを測定対象数で分類すると、一点のみの計測を行う単独型及び多点的乃至連続的に計測を行う分布型に大別することができる。
【０００６】
光ファイバセンサを、それに使用する光ファイバの種類で分類すると、光の偏光、位相などを検出する用途のシングルモードファイバ、及び光量を検出する用途の伝送光量の多いマルチモードファイバに大別することができる。
【０００７】
光ファイバセンサを、それに使用する光ファイバの材質で分類すると、石英製、多成分ガラス製、及びプラスチック製に大別することができる。多成分ガラス製の光ファイバセンサは、光ファイバの径や開口数を大きくすることが容易にできるため、光ファイバと光源やセンサとの結合効率が優れ、また安価であるという長所を有する。プラスチック製の光ファイバセンサは、石英製のものに比べてファイバ径が太く、トランスデューサ部の光ファイバの先端部への固定が容易であるという長所を有し、伝送距離が非常に短く且つ損失を無視することができる用途では比較的多く使用されている。ここで、トランスデューサとは、検知すべき物理量や化学量或いはその変化を光信号に変換するデバイスであり、例えば、圧力センサにおけるダイヤフラムや化学センサにおける感応膜が挙げられる。なお、トランスデューサ部とは、トランスデューサとそれを担持するための基体や構造体を含めたものを意味する。
【０００８】
光ファイバセンサを光検出方法で分類すると、トランスデューサを透過した光を検出する透過型、及びトランスデューサ又はトランスデューサに付設された反射膜や反射板等の反射体による反射光を検出する反射型に大別することができる。
【０００９】
ところで、化学量測定用光ファイバセンサのセンシング対象は、主として、ガス種、液体種、酸素濃度、イオン種、ｐＨ、或いは、生物種等である。このうちガスをセンシング対象とする光ファイバセンサとしては、例えば、その防爆性の長所を活かした爆発性ガス濃度測定用のガスセンサが挙げられる。また、かかるセンシング対象の爆発性ガスとしては水素ガスが代表的であり、透過型の光ファイバセンサが特許文献１に、分布型の光ファイバセンサとして、白金触媒をトランスデューサとしたものが特許文献２に、及び水素吸蔵膜をトランスデューサとしたものが特許文献３にそれぞれ開示されている。また、反射型の光ファイバセンサとして、水素感応調光ミラーをプローブにしたものが特許文献４に、トランスデューサ部として誘電体多層膜・導光体・金属膜の３層構造体を用いたものが特許文献５に、及び光ファイバのコア上にクラッドとして固体化合物半導体と触媒金属とをゾル−ゲル法で形成したものが特許文献６にそれぞれ開示されている。さらに、最近の光ファイバを用いた水素センサの開発動向が非特許文献１に報告されている。
【先行技術文献】
【特許文献】
【００１０】
【特許文献１】特開平０５−１９６５６９号公報
【特許文献２】特開２００５−３５１６５１号公報
【特許文献３】特開２００９−５３０４５号公報
【特許文献４】特開２００５−２６５５９０号公報
【特許文献５】特開２００７−２６３８４７号公報
【特許文献６】特開２００３−１６６９３８号公報
【非特許文献】
【００１１】
【非特許文献１】岡崎慎司・横山隆・中川英元・朝倉祝治著、「光ファイバを用いた水素センサの開発動向」、表面技術、第５７巻、第４号、ｐｐ．８−１４、２００６年
【発明の概要】
【発明が解決しようとする課題】
【００１２】
しかしながら、透過型の光ファイバセンサを構成した場合、トランスデューサ部が複雑となり、サイズが大型化してしまうという問題がある。
【００１３】
また、反射型の光ファイバセンサを構成した場合、トランスデューサ部の検知能力が経時的に低下したり、或いは、ファイバ端面にトランスデューサを設けた構成では、その設置時の加工温度が光ファイバにより制限を受けるため、ファイバ端面とトランスデューサとの密着性が低下し、トランスデューサの品質劣化を引き起こすという問題がある。
【００１４】
さらに、非特許文献１に開示されている水素感応膜を用いた光ファイバセンサでは、水素感応膜の感度の温度依存性のため、特に室温以下での測定においては水素感応膜の加熱機構を別途付加する必要があり、それによってトランスデューサ部が大型化すると共に、加熱機構を駆動する制御回路も必要であり、装置構成が複雑化するという問題がある。
【００１５】
本発明の課題は、光ファイバ水素センサにおいて、水素感応体の感度の温度依存性を補償することができ、しかも、トランスデューサ部を小型とすることができるようにすることである。
【課題を解決するための手段】
【００１６】
本発明の光ファイバ水素センサは、
センシング光を伝送するセンシング光用光ファイバと、
前記センシング光用光ファイバからのセンシング光を受光するように設けられ、その受光したセンシング光を透過すると共に水素と反応すると特定の光学特性が変化する水素感応体、及び前記水素感応体を透過したセンシング光を受光するように設けられ、その受光したセンシング光を反射する反射体を有するトランスデューサ部と、
前記トランスデューサ部の前記反射体で反射して前記水素感応体を再び透過したセンシング光を信号光として受光するように設けられ、その受光した信号光を伝送する信号光用光ファイバと、
前記トランスデューサ部の前記水素感応体の感度の温度依存性を補償するための温度補償光を伝送する温度補償光用光ファイバと、
を備え、
前記温度補償光用光ファイバは、前記トランスデューサ部の前記水素感応体に対して温度補償光を照射するように設けられていることを特徴とする。
【００１７】
本発明の光ファイバ水素センサシステムは、
センシング光を発するセンシング光用光源と、
前記センシング光用光源からのセンシング光を受光するように設けられ、その受光したセンシング光を伝送するセンシング光用光ファイバと、
前記センシング光用光ファイバからのセンシング光を受光するように設けられ、その受光したセンシング光を透過すると共に水素と反応すると特定の光学特性が変化する水素感応体、及び前記水素感応体を透過したセンシング光を受光するように設けられ、その受光したセンシング光を反射する反射体を有するトランスデューサ部と、
前記トランスデューサ部の前記反射体で反射して前記水素感応体を再び透過したセンシング光を信号光として受光するように設けられ、その受光した信号光を伝送する信号光用光ファイバと、
前記信号光用光ファイバからの信号光を受光するように設けられ、その受光した信号光を検出する信号光検出器と、
前記トランスデューサ部の前記水素感応体の感度の温度依存性を補償するための温度補償光を発する温度補償光用光源と、
前記温度補償光用光源からの温度補償光を受光するように設けられ、その受光した温度補償光を伝送する温度補償光用光ファイバと、
を備え、
前記温度補償光用光ファイバは、前記トランスデューサ部の前記水素感応体に対して温度補償光を照射するように設けられていることを特徴とする。
【発明の効果】
【００１８】
本発明によれば、温度補償光を照射することにより水素感応体の感度の温度依存性を補償することができ、しかも、温度補償光を温度補償光用光ファイバにより伝送するのでトランスデューサ部を小型とすることができる。
【図面の簡単な説明】
【００１９】
【図１】実施形態１に係る光ファイバ水素センサシステムを示す構成図である。
【図２】（ａ）〜（ｃ）は実施形態１のトランスデューサ部の変形例を示す図である。
【図３】実施形態１のプローブ用のホルダの構成図である。
【図４】実施形態２に係る光ファイバ水素センサシステムを示す構成図である。
【図５】実施形態２に係る光ファイバ水素センサシステムにおける光ファイバ水素センサの変形例を示すブロック図である。
【図６】試験評価２における温度補償光出力と応答時間（９０％→５０％）との関係を示すグラフである。
【図７】試験評価２における温度補償光出力と応答時間（９０％→１０％）との関係を示すグラフである。
【発明を実施するための形態】
【００２０】
以下、実施形態について図面に基づき詳細に説明する。
【００２１】
（実施形態１）
図１は実施形態１に係る光ファイバ水素センサシステムＡを示す。この光ファイバ水素センサシステムＡは、燃料電池を使用する自動車や民生用発電システム等において水素ガスの漏出検知のために用いられるものである。
【００２２】
実施形態１に係る光ファイバ水素センサシステムＡは、システム本体を構成する光ファイバ水素センサＳ、センシング光を発するセンシング光用光源５、信号光を検出する信号光検出器６、及び温度補償光を発する温度補償光用光源７を備える。
【００２３】
光ファイバ水素センサＳは、センシング光用光ファイバ１、信号光用光ファイバ２、及び温度補償光用光ファイバ３、並びにトランスデューサ部４を備える。
【００２４】
センシング光用光ファイバ１は、コア及びクラッドが石英、多成分ガラス、又はアクリル樹脂等の樹脂の同一の材質で形成された構成であってもよく、また、コア及びクラッドが異なる材質で形成された構成であってもよい。センシング光用光ファイバ１は、センシング光を低損失で伝送可能な通信用に一般的に用いられているシングルモードファイバであることが好ましい。ファイバ本体は、例えば、モードフィールド径又はコア径が８〜１０μｍ及びクラッド径が８０〜１２５μｍである。但し、センシング光用光ファイバ１はマルチモードファイバであってもよい。ファイバ本体は、前記の他、コア径が２〜９８０μｍ及びクラッド径が５０〜１０００μｍの１本の光ファイバ又は複数本の光ファイバで構成されたファイバ群であってもよい。
【００２５】
信号光用光ファイバ２は、コア及びクラッドが石英、多成分ガラス、又はアクリル樹脂等の樹脂の同一の材質で形成された構成であってもよく、また、コア及びクラッドが異なる材質で形成された構成であってもよい。信号光用光ファイバ２は、開口数が大きく、信号光を低損失で伝送可能な通信用グレーデッドインデックス型マルチモード光ファイバであることが好ましい。ファイバ本体は、例えば、コア径が５０〜６２．５μｍ及びクラッド径が８０〜１２５μｍである。信号光用光ファイバ２のファイバ本体は、前記の他、コア径が２〜９８０μｍ及びクラッド径が５０〜１０００μｍの１本の光ファイバ又は複数本の光ファイバで構成されたファイバ群であってもよい。
【００２６】
温度補償光用光ファイバ３は、コア及びクラッドが石英で形成された構成であることが好ましい。温度補償光用光ファイバ３は、温度補償光が低損失で伝送可能なステップインデックスファイバであることが好ましい。ファイバ本体は、例えば、コア径が５０〜１２０μｍ及びクラッド径が８０〜１２５μｍである。温度補償光用光ファイバ３のファイバ本体は、前記の他、コア径が２〜９８０μｍ及びクラッド径が５０〜１０００μｍの１本の光ファイバ又は複数本の光ファイバで構成されたファイバ群であってもよい。
【００２７】
センシング光用光ファイバ１、信号光用光ファイバ２、及び温度補償光用光ファイバ３は、それらの一端側の部分においてそれぞれ独立している一方、それらの他端側、つまり、トランスデューサ部４側の部分が保持具により束ねられ、或いは、固持されてバンドルＢに構成されている。バンドルＢは、センシング光用光ファイバ１、信号光用光ファイバ２、及び温度補償光用光ファイバ３の端面間で段差が形成されていてもよいが、製造上の観点及びトランスデューサ部４との間隔の位置合わせの作業性の観点から、研磨加工が施されることにより、センシング光用光ファイバ１、信号光用光ファイバ２、及び温度補償光用光ファイバ３の端面が面一に形成されていることが好ましい。
【００２８】
トランスデューサ部４は、平行平板状、或いは、湾曲乃至傾斜平板状の透明な基体４２の一方の面に水素感応膜４１（水素感応体）及び他方の面に反射膜４３（反射体）がそれぞれ設けられた構造を有し、水素感応膜４１が設けられた側がバンドルＢに対向するセンシング光受光側となるように設けられている。
【００２９】
基体４２は、センシング光に対して透明である物質、例えば、石英、ガラス、 Ａｌ2 Ｏ3、ＬｉＦ、ＣａＡｌ2 Ｏ4、ＬｉＮｂＯ3、ＴｉＯ2、ＳｒＴｉＯ3、Ｙ2 Ｏ3、ＭｇＯ、ＺｎＳｅ、Ｓｉ、或いは、ＰＣ樹脂、ＰＭＭＡ樹脂、ＭＳ樹脂、ＰＳ樹脂、透明ＡＢＳ樹脂、ＳＢＣ樹脂、ＰＶＣ樹脂、ＰＭＰ樹脂、環状ポリオレフィン樹脂、フルオレン系ＰＥＴ樹脂、ＰＥＮ樹脂、脂環式エポキシ樹脂、透明ＰＩ樹脂、透明ＰＡ樹脂、透明フッ素樹脂、ＰＬＡ樹脂などの透明樹脂等で形成されている。基体４２の平面視形状は、例えば、円形、方形等、特に限定されるものではない。基体４２は、例えば、外径が１〜１０ｍｍ、及び厚さが０．１〜３ｍｍである。
【００３０】
水素感応膜４１は、水素と反応して、その屈折率や吸収係数等の光学特性が変化する物質で形成されている。かかる物質として、具体的には、例えば、金属膜、金属酸化物、金属と金属酸化物との複合体等が挙げられる。金属膜としては、例えば、白金、パラジウム、ニッケル、ルテニウム、イリジウム、銀、クロム、金等の膜が、金属酸化物としては、例えば、酸化タングステン、酸化モリブデン、酸化ニオブ、酸化ニッケル、酸化バナジウム等が、金属と金属酸化物との複合体としては、例えば、白金／酸化タングステンがそれぞれ挙げられる。従って、水素感応膜４１は、センシング光用光ファイバ１からのセンシング光を受光するように設けられ、その受光したセンシング光を透過すると共に水素と反応すると特定の光学特性が変化する構成を有する。水素感応膜４１の膜厚は例えば０．１〜５００μｍ、好ましくは０．１〜１０μｍである。水素感応膜４１の形成は、水素感応膜４１を担持するための基体４２の片面に、例えば、ＣＶＤ法、スパッタリング法、蒸着法、スピンコート法、ゾル−ゲル法、ディッピング法等の半導体製造に用いる公知の薄膜形成技術によって行うことができる。
【００３１】
反射膜４３は、センシング光を効率よく反射する物質、例えば、パラジウム、ニッケル、銀、クロム、金等を蒸着等して得られた金属膜や誘電体多層膜で形成されている。従って、反射膜４３は、水素感応膜４１を透過したセンシング光を受光するように設けられ、その受光したセンシング光を反射する構成を有する。反射膜４３の膜厚は例えば０．０５〜１０μｍである。なお、反射膜４３が反射体を構成するものに限られず、例えば金属板等が反射体を構成するものであってもよい。
【００３２】
トランスデューサ部４は、上記構成のみならず、図２（ａ）に示すように、基体４２を有さず、反射板（反射体）４３’のセンシング光受光側の面に水素感応膜４１が積層されて設けられた構成であってもよい。この場合、反射板４３’は、金属板で形成されていることが好ましい。また、図２（ｂ）に示すように、基体４２のセンシング光受光側の一方の面に反射膜４３及び水素感応膜４１が順に積層されて設けられた構成であってもよい。この場合、基体４２は、透明であってもよく、また、不透明であってもよい。不透明な基体４２としては、例えば、アルミナ、ジルコニア、窒化アルミニウム、窒化ケイ素、窒化ホウ素、炭化ホウ素などの不透明セラミックス板；銅、アルミニウム、ステンレス、鉄、黄銅などの金属板；テトラフルオロエチレンなどのプラスチック板等が挙げられる。さらに、図２（ｃ）に示すように、基体４２のセンシング光受光側の一方の面に水素感応膜４１が並びに他方の面に別の水素感応膜４１及び反射膜４３が順に積層されてそれぞれ設けられた、つまり、水素感応膜４１が基体４２の片面のみならず両面に設けられた構成であってもよい。
【００３３】
トランスデューサ部４は、バンドルＢに接触して直接センシング光を受光するように設けられていてもよいが、バンドルＢから空間を介してセンシング光を受光するように設けられていることが好ましい。トランスデューサ部４がバンドルＢから空間をおいて設けられていると、水素感応膜４１がセンシング光用光ファイバ１の出射端との間に空間を介して設けられることとなるので、水素感応膜４１のセンシング光の透過する部分が空間に接触し、その空間中の気体や液体に含まれる水素に反応して状態変化を生じ、この変化をセンシング光の光学的変化として検出し易くなる。その空間の間隔は例えば０．１〜５ｍｍである。また、この間隔は水素感応膜４１表面での反射光と反射膜４３からの反射光とを分離して信号光用光ファイバ２で受光できる距離であることが好ましい。
【００３４】
以上の構成の光ファイバ水素センサＳは、センシング光用光ファイバ１が、センシング光を伝送し、水素感応膜４１に対してそのセンシング光を照射するように設けられた構成を有し、また、信号光用光ファイバ２が、反射膜４３で反射して水素感応体４１を再び透過したセンシング光を信号光として受光するように設けられ、その受光した信号光を伝送する構成を有し、さらに、温度補償光用光ファイバ３が、温度補償光を伝送し、水素感応膜４１に対してその温度補償光を照射するように設けられた構成を有する。また、バンドルＢは、図３に示すファイバ保護及びトランスデューサ部固定用のホルダ１０に、バンドル座屈防止用の図示しないブーツが被せられてファイバ挿入孔１１に挿入装着されることによりシステム本体のプローブを構成する。
【００３５】
センシング光用光源５は、ＳＣコネクタ１４を介してセンシング光用光ファイバ１の一端の入射端に接続されている。センシング光用光源５は、水素感応膜４１を透過すると共に、水素感応膜４１の水素への感応、つまり、水素感応膜４１による屈折率や吸収係数等の光学特性の変化を検知し、且つ反射膜４３で反射する波長帯のセンシング光を発する光源である。センシング光用光源５としては、システム構成の小型化を考慮に入れれば、例えば、通信用に一般的に用いられている波長６６０ｎｍ帯、８５０ｎｍ帯、１３１０ｎｍ帯、又は１５５０ｎｍ帯のレーザーダイオード、スーパールミネッセントダイオード、発光ダイオード等が挙げられる。
【００３６】
信号光検出器６は、ＳＣコネクタ１４を介して信号光用光ファイバ２の一端の出射端に接続されている。従って、信号光検出器６は、信号光用光ファイバ２からの信号光を受光するように設けられ、その受光した信号光を検出する構成を有する。信号光検出器６としては、例えば、信号光波長、つまり、センシング光波長に感度を持つフォトダイオード等が挙げられる。なお、信号光検出器６は、図示しない水素ガス検知回路に接続されている。
【００３７】
温度補償光用光源７は、ＳＣコネクタ１４を介して温度補償光用光ファイバ３の一端の入射端に接続されている。温度補償光用光源７は、水素感応膜４１の感度の温度依存性を補償する光であって、反射膜４３で効率よく反射し且つ水素感応膜４１に吸収されて水素感応膜４１を活性化或いは発熱させる波長域の光を発する光源である。温度補償光用光源７が発する光としては、例えば、紫外光、可視光、赤外光等が挙げられるが、水素感応膜４１の温度を上昇させると共に分子活性化により感度向上を図ることができることから紫外線が好ましく、温度補償光用光ファイバ３を伝搬する間に温度補償光用光ファイバ３の紫外吸収により大きな損失が生じないことから近紫外光（波長３００〜４８０ｎｍ）がより好ましい。温度補償光用光源７としては、例えば、波長４０５ｎｍのレーザーダイオード、スーパールミネッセントダイオード、発光ダイオード等が挙げられる。
【００３８】
以上の構成の光ファイバ水素センサシステムＡは、センシング光用光ファイバ１が、センシング光用光源５からのセンシング光を受光するように設けられ、その受光したセンシング光を伝送する構成を有し、また、温度補償光用光ファイバ３が、温度補償光用光源７からの温度補償光を受光するように設けられ、その受光した温度補償光を伝送する構成を有する。
【００３９】
そして、光ファイバ水素センサシステムＡでは、センシング光用光源５がセンシング光を発すると、センシング光用光ファイバ１がそのセンシング光を受光し、それを伝送してバンドルＢから出射する。トランスデューサ部４がセンシング光を受光すると、センシング光は、水素感応膜４１及び基体４２を順に透過した後、反射膜４３で反射し、再び基体４２及び水素感応膜４１を順に透過する。バンドルＢはトランスデューサ部４からのセンシング光の反射光を信号光として受光すると、信号光用光ファイバ２は、その信号光を伝送して信号光検出器６に出力する。信号光検出器６に入射した信号光は電気信号として水素ガス検知回路に入力される。
【００４０】
このとき、水素感応膜４１の接触空間に水素ガスが存在しない場合、信号光検出器６には一定の基準信号光が入射し、水素ガス検知回路は、それを「水素ガス検知無し」と判断する。一方、水素感応膜４１の接触空間に水素ガスが存在する場合、水素感応膜４１が水素と反応して光学特性が変化することにより、センシング光がその光学特性の変化を検知し、信号光検出器６には基準信号光とは異なる異常信号光が入射し、水素ガス検知回路は、それを「水素ガス検知有り」と判断してアラームを発する。
【００４１】
また、この光ファイバ水素センサシステムＡでは、温度補償光用光源７が温度補償光を発すると、温度補償光用光ファイバ３がその温度補償光を伝送してバンドルＢから出射し、温度補償光は水素感応膜４１に照射される。このとき、水素感応膜４１は温度補償光を吸収して活性化或いは発熱するため、−３０〜−２０℃といった極低温雰囲気においても水素ガス検知感度を高く維持することができる。このとき、温度補償光の出力は５〜１００ｍＷとすることが好ましい。なお、水素感応膜４１への温度補償光の照射は、常時行ってもよく、また、温度センサを設け、雰囲気温度が所定温度以下となった場合にのみ行ってもよい。
【００４２】
実施形態１に係る光ファイバ水素センサシステムＡによれば、温度補償光を照射することにより水素感応膜４１の温度依存性を補償することができ、しかも、温度補償光を温度補償光用光ファイバ３により伝送するのでトランスデューサ部４を小型とすることができる。また、温度補償のための電気ヒーターを用いないので、水素雰囲気下においても爆発の危険性がなく、安全にガス検知を行うことができる。
【００４３】
（実施形態２）
図４は実施形態２に係る光ファイバ水素センサシステムＡを示す。なお、実施形態１と同一名称の部分は実施形態１と同一符号で示す。この光ファイバ水素センサシステムＡは、燃料電池を使用する自動車や民生用発電システム等において水素ガスの漏出検知のために用いられるものである。
【００４４】
実施形態２に係る光ファイバ水素センサシステムＡでは、センシング光用光ファイバ１、信号光用光ファイバ２、及び温度補償光用光ファイバ３は、それらのトランスデューサ部４側の部分が光ファイバ結合器８を介して単一の混合光用光ファイバ９で構成されている。つまり、出射側の部分において、単一の混合光用光ファイバ９は、センシング光用光ファイバ１、信号光用光ファイバ２、及び温度補償光用光ファイバ３の３本の光ファイバを構成している。このような構造は、単一の混合光用光ファイバ９によりセンシング光、信号光、及び温度補償光の伝送が可能となるため、特に狭隘部にセンサプローブを挿入する場合等に有効である。
【００４５】
光ファイバ結合器８としては、例えば、バルクデバイス、ファイバデバイスが挙げられる。
【００４６】
バルクデバイスとしては、例えば、ハーフミラーやプリズム等の光学部品を用いてセンシング光と信号光と温度補償光とを結合し、単一の混合光用光ファイバ９によりセンシング光用光源５からのセンシング光及び温度補償光用光源７からの温度補償光をトランスデューサ部４の水素感応膜４１まで導くと共にトランスデューサ部４からの信号光を信号光検出器６まで導く構成が挙げられる。
【００４７】
ファイバデバイスとしては、例えば、光通信に一般的に用いられているファイバカップラを使用した構成が挙げられる。例えば、図５に示すように、２×１（或いは１×２）のファイバカプラ１５，１６を２個使用し、センシング光を伝送するセンシング光用光ファイバ１及び信号光を伝送する信号光用光ファイバ２のそれぞれをＳＣコネクタ１４を介して第１のファイバカプラ１５に接続することによりそれらを結合し、第１のファイバカプラ１５及び温度補償光を伝送する温度補償光用光ファイバ３のそれぞれをＳＣコネクタ１４を介して第２のファイバカプラ１６に接続することによりそれらを結合し、それによって３本の光ファイバを単一の混合光用光ファイバ９にまとめることができる。また、ファイバデバイスとしては、複数本の光ファイバをバンドルＢとし、一端を固定及び端面を研磨した光コンバイナが挙げられる。
【００４８】
単一の混合光用光ファイバ９は、コア及びクラッドが石英又はアクリル樹脂等の樹脂で形成された構成であってもよく、また、コアが石英で及びクラッドがアクリル樹脂等の樹脂でそれぞれ形成された構成であってもよい。混合光用光ファイバ９は、ステップインデックス光ファイバであることが好ましい。ファイバ本体は、例えば、コア径が５０〜１２０μｍ及びクラッド径が８０〜１２５μｍである。
【００４９】
その他の構成及び作用効果は実施形態１と同一である。
【００５０】
（その他の実施形態）
上記実施形態１では、センシング光用光ファイバ１、信号光用光ファイバ２、及び温度補償光用光ファイバ３のトランスデューサ部４側の部分がバンドルＢに構成されたもの、並びに上記実施形態２では、センシング光用光ファイバ１、信号光用光ファイバ２、及び温度補償光用光ファイバ３のトランスデューサ部４側の部分が光ファイバ結合器８を介して単一の混合光用光ファイバ９で構成されたものとしたが、特にこれらに限定されるものではなく、センシング光用光ファイバ１、信号光用光ファイバ２、及び温度補償光用光ファイバ３がトランスデューサ部４側の部分においてもそれぞれ独立したものであってもよい。
【００５１】
上記実施形態１及び２では、トランスデューサ部４が、基体４２に水素感応膜４１及び反射膜４３が設けられた構成としたが、特にこれに限定されるものではなく、トランスデューサ部４が、基体４２を有さず、水素感応体及び反射体の積層構造体で構成されていてもよい。
【００５２】
上記実施形態１及び２では、水素感応膜４１の表面の反射光が信号光検出器６に達して幻惑されるのを防ぐために、トランスデューサ部４を、基体４２の一方側に水素感応膜４１及び他方側に反射膜４３がそれぞれ設けられた構成としたが、特にこれに限定されるものではなく、例えば、水素感応膜４１の表面を反射防止膜（ＡＲ膜）で被覆したり、照射角を調整したり、或いは、信号光検出器６に幻惑防止措置を設ける等の手段を施すことにより、トランスデューサ部４を、基体４２の一方側に反射膜４３が設けられ、その上にさらに水素感応膜４１が設けられた構成とすることもできる。
【００５３】
上記実施形態１及び２のトランスデューサ部４には温度補償光吸収層が設けられていてもよい。温度補償光吸収層は、温度補償光吸収膜や温度補償光吸収板としてトランスデューサ部４内に独立して構成されていてもよいが、例えば、センシング光に対して透明で且つ温度補償光に対して不透明な基体４２、或いは、センシング光波長に対して高反射で且つ温度補強光波長に対して低反射の誘電体多層膜の反射膜４３のように機能を兼ねて構成されていてもよい。温度補償光が紫外線の場合には、温度補償光吸収層として例えばＺｎＳｅやＳｉの膜や板を用いることができる。
【実施例】
【００５４】
（試験評価１）
＜実施例１＞
図１に示す実施形態１と同一の光ファイバ水素センサシステムＡを構成した。
【００５５】
トランスデューサ部４は、まず、直径３ｍｍ及び厚さ０．５ｍｍの石英基板（基体４２）の一方の面に、電子ビーム蒸着法によって厚さ０．１μｍの金薄膜の反射膜４３を形成し、次いで、石英基板の他方の面に、ゾルーゲル法で形成した白金及び酸化タングステンを含む膜形成液をディッピング法により塗布し、それを５００℃の温度で焼成することによって水素感応膜４１を形成することにより作製した。
【００５６】
また、センシング光用光源５として波長１．３１μｍのレーザーダイオードピグテールモジュール（三菱電機社製  品番：ＦＵ−４２７ＳＬＤ−ＦＷ１）、センシング光用光ファイバ１としてシングルモードファイバ（三菱電線工業社製  品番：ＳＳ９Ａ１Ｕ）、信号光検出器６としてセンシング光の波長に感度を持つフォトダイオード（日本電気社製  品番：ＮＤＬ５４６１Ｐ）、信号光用光ファイバ２としてマルチモードファイバ（三菱電線工業社製  品番：ＳＧ５０Ａ１Ｕ）、温度補償光用光源７として近紫外光源（４０５ｎｍのレーザーダイオード、日亜化学工業社製  品番：ＮＤＨＶ２２０ＡＰＡ）、及び温度補償光用光ファイバ３としてステップインデックスファイバ（三菱電線工業社製  品番：ＳＴ１００Ａ）をそれぞれ用いた。バンドルＢとトランスデューサ部４との間の空間の間隔を０．８ｍｍとした。
【００５７】
そして、実施例１の光ファイバ水素センサシステムＡが水素ガスの検知機能を有することを以下の方法で確認した。
【００５８】
室温雰囲気下において、センシング光用光源５から波長１．３１μｍのレーザー光を発し、それがセンシング光用光ファイバ１を介してトランスデューサ部４に達し、水素感応膜４１を透過して反射膜４３で反射した後に再び水素感応膜４１を透過し、信号光用光ファイバ２を介して戻ってきた信号光の強度をモニタリングし、バンドルＢとトランスデューサ部４との間に水素濃度１％及び窒素濃度９９％の混合ガスを注入したときの応答時間及びその後に回復ガス（空気）を注入したときの回復時間をそれぞれ測定した。ここで、  応答時間とは、注入された水素を含む混合ガスにより水素感応膜４１が反応し、光吸収増加により信号光の強度が低下する過渡現象において、混合ガス注入前の信号光の強度を１００％及び混合ガス注入後の飽和した信号光の強度の最低値を０％としたときに、混合ガスを注入後に信号光が９０％の強度から５０％の強度に低下するまでの時間のことである。回復時間とは、混合ガスの供給を停止したことにより水素感応膜４１が可逆反応し、光吸収減少により信号光の強度が混合ガス注入前の強度に回復する過渡現象において、混合ガス停止から９０％の強度に到達するまでの時間のことである。
【００５９】
測定の結果、混合ガスを注入したときの応答時間は３秒で、回復時間は５５秒であった。
【００６０】
また、温度補償機能を検証するため、トランスデューサ部４を−３０℃に冷却した状態で、温度補償光用光源７から近紫外光（出力５５ｍＷ）の温度補償光を発し、それを温度補償光用光ファイバ３を介してトランスデューサ部４の水素感応膜４１に照射した場合について、上記と同一条件で応答時間及び回復時間を測定した。
【００６１】
測定の結果、混合ガスを注入したときの応答時間は６秒で、回復時間は３５秒であった。
【００６２】
＜実施例２＞
図５に示す実施形態２の変形例と同一の光ファイバ水素センサシステムＡを構成した。
【００６３】
実施例１と同様にトランスデューサ部４を作製した。
【００６４】
また、センシング光用光源５として波長１．３１μｍのレーザーダイオードピグテールモジュール、センシング光用光ファイバ１としてマルチモードファイバ（三菱電線工業社製  品番：ＳＴ５０Ａ）、信号光検出器６としてセンシング光の波長に感度を持つフォトダイオード、信号光用光ファイバ２としてマルチモードファイバ、温度補償光用光源７として近紫外光源（４０５ｎｍのレーザーダイオード）、及び温度補償光用光ファイバ３としてステップインデックスファイバをそれぞれ用いた。バンドルＢとトランスデューサ部４との間の空間の間隔を０．８ｍｍとした。
【００６５】
実施例１と同一条件で水素検知機能の確認を行った。
【００６６】
その結果、ファイバカップラを光伝送路に介在させたため、信号光の出力強度は約１／４に減少したが、応答時間及び回復時間は実施例１とほぼ同一であった。また、実施例１と同一条件で温度補償機能も検証したが、これも実施例１と同様の良好な結果であった。
【００６７】
＜比較例＞
実施例１で用いたのと同一構成の光ファイバ水素センサシステムＡを用い、水素感応膜４１に温度補償光を照射せずに、トランスデューサ部４を−３０℃に冷却した場合について、実施例１と同一条件で応答時間及び回復時間を測定した。
【００６８】
測定の結果、混合ガスを注入したときの応答時間は８７秒で、回復ガスを注入したときの回復時間は５９９秒であった。これは、室温雰囲気下での測定結果と比較すると、応答時間が約３０倍、及び回復時間が約１０倍であり、応答時間及び回復時間ともに低温の影響を受けて著しく長くなっていることが分かる。
【００６９】
従って、温度補償光用光ファイバ３を介して近紫外光を温度補償光としてトランスデューサ部４の水素感応膜４１に照射することにより、低温雰囲気（例えば−３０℃）においても、水素感応膜４１が室温雰囲気と同等の特性を示すことから、トランスデューサ部４に加熱機構を設けることなく温度補償を行うことができ、これにより、小型で広い温度範囲での水素検知が可能な光ファイバ水素センサＳを得ることができる。
【００７０】
（試験評価２）
実施例１で用いたのと同一構成の光ファイバ水素センサシステムＡを用い、トランスデューサ部４を−２０℃に冷却し、温度補償光用光源８である４０５ｎｍのレーザーダイオードからの近紫外光の温度補償光の出力を１７ｍＷ、３０ｍＷ、及び５５ｍＷのそれぞれとした場合における応答時間（９０％→５０％）及び応答時間（９０％→１０％）を測定した。ここで、応答時間（９０％→５０％）とは、混合ガスの注入前の信号光の強度を１００％及び注入後の飽和した信号光の強度の最低値を０％として、混合ガス注入開始から信号光の強度が９０％から５０％に到達するまでの時間であり、応答時間（９０％→１０％）とは、混合ガス注入開始から信号光の強度が９０％から１０％に到達するまでの時間である。
【００７１】
測定の結果、表１、図６及び７に示す通り、−２０℃では、応答時間（９０％→５０％）は、温度補償光出力１７ｍＷ時が１６秒、３０ｍＷ時が９秒、及び５５ｍＷ時が１２秒であった。応答時間（９０％→１０％）は、温度補償光出力１７ｍＷ時が９７秒、３０ｍＷ時が４５秒、及び５５ｍＷ時が４１秒であった。
【００７２】
また、トランスデューサ部４を−３０℃に冷却し、近紫外光の温度補償光の出力を０ｍＷ（照射せず）、１７ｍＷ、３０ｍＷ、及び５５ｍＷのそれぞれとした場合における応答時間（９０％→５０％）及び応答時間（９０％→１０％）を測定した。
【００７３】
測定の結果、表１、図６及び７に示す通り、−３０℃では、応答時間（９０％→５０％）は、温度補償光出力０ｍＷ時が８７秒、１７ｍＷ時が６２秒、３０ｍＷ時が１７秒、及び５５ｍＷ時が６秒であった。応答時間（９０％→１０％）は、温度補償光出力０ｍＷ時が５９９秒、１７ｍＷ時が３０２秒、３０ｍＷ時が１０８秒、及び５５ｍＷ時が３５秒であった。
【００７４】
【表１】
2011085576.tif 000003
【００７５】
以上の通り、温度補償光の出力が高くなると応答時間が短くなる傾向があり、特に、雰囲気温度が−３０℃の場合において、その傾向が顕著であることが分かる。
【産業上の利用可能性】
【００７６】
本発明は、小型のシステムで水素検知が必要となる領域、例えば水素と酸素とから電力を取り出すことのできる燃料電池を使用した自動車、民生用発電システム等で、厳しい車載環境、自然環境でも使用できる光ファイバ水素センサとして利用することができ、また、低損失の光ファイバを使うため、極遠方で水素検知が必要となるシステムで利用することができる。
【符号の説明】
【００７７】
Ａ  光ファイバ水素センサシステム
Ｓ  光ファイバ水素センサ
１  センシング光用光ファイバ
２  信号光用光ファイバ
３  温度補償光用光ファイバ
４  トランスデューサ部
４１  水素感応膜（水素感応体）
４２  基体
４３  反射膜（反射体）
４３’反射板（反射体）
５  センシング光用光源
６  信号光検出器
７  温度補償光用光源
８  光ファイバ結合器
９  混合光用光ファイバ
１０  ホルダ
１１  ファイバ挿入孔
１４  ＳＣコネクタ
１５，１６  ファイバカプラ
【図１】
2011085576.tif 000004
【図２】
2011085576.tif 000005
【図３】
2011085576.tif 000006
【図４】
2011085576.tif 000007
【図５】
2011085576.tif 000008
【図６】
2011085576.tif 000009
【図７】
2011085576.tif 000010